(57)【要約】【課題】廉価に提供でき、併せて取り付け、取り外し作業が簡便で、しかも巻付き強度も確保できる安全な棒状物標識バンドを提供する。【解決手段】合成樹脂製で薄肉厚の筒状を呈し、周方向一箇所に軸方向全長にわたって背割れ２が備わっていると共に、筒状を保持する弾性復元性を備え、二色成形法により、表面には軸方向に沿って二色のストライプ模様の標識３が設けられ、前記背割れ２の相対峙する一対の辺縁４が玉状断面からなる円弧５に形成され、鋭利なエッジの存在をなくしたものである。【選択図】  図１
0003186255.tif 000002
【実用新案登録請求の範囲】
【請求項１】
合成樹脂製で薄肉厚の筒状を呈して、周方向一箇所に軸方向全長にわたって背割れが備わっていると共に、筒状を保持する弾性復元性を備え、表面に標識が設けられ、前記背割れの相対峙する一対の縁辺が玉状断面からなる円弧面に形成されて成る棒状物標識バンド。
【請求項２】
標識は二色成形法で背割れの方向と平行に一体成型されている請求項１記載の棒状物標識バンド。
【請求項３】
標識はトラマークである請求項１記載の棒状物標識バンド。
【考案の詳細な説明】
【技術分野】
【０００１】
本考案は、例えば工事現場の足場用単管や単管を用いた簡易ガードレール、或いは工場内の柱、更にはカーブミラー等の各種ポール等の棒状物に容易に着脱できる棒状物標識バンドに関する。
【背景技術】
【０００２】
工事現場の足場は縦横に組み上げられた単管があったり、単管を用いた簡易の結界があり、また場内等には単管や角柱を用いた柱などがあり、また、道路脇などにはカーブミラーなどを設けたホールなどがある。
これらの単管や柱、更にはポール等（本考案ではこれらを総称して以下単に棒状物と言う）はともすると視界に入り難く、作業者や歩行者が躓いたり、ぶつかったり、衣類の端を引っかけたりするおそれがあり、危険である。
【０００３】
そこで、従来から、この危険性を軽減するために、黒と黄色の縞模様になった粘着テープを棒状物に巻き付けて、作業者や歩行者に危険物のあることを示していた。
【０００４】
しかし、単に粘着テープを巻き付ける手段は、粘着テープを単管に巻き付けたり剥がしたりする作業が大変で、また、剥がし残りが生じ、見苦しいという問題点があった。
【０００５】
そこでこの点を解決するために、たとえ表面に所謂黄黒螺旋のトラマークが備わった発泡ポリエチレンの肉厚のシートを筒状にして、背割れを設け、これを棒状体に外嵌合させたものが市販されている（図３参照）。また、表面に黄色と黒の二色の縞模様を施したシートを棒状体に巻付け、両端に設けた布テープを貼り合わせて固定するものも提案されている（特許文献１）。
【考案の概要】
【考案が解決しようとする課題】
【０００６】
しかし、上記の市販品は、発泡ポリエチレンのシートの表面に斜めトラ模様を印刷した粘着シートを張り合わせて得るものであるから、加工手数が多く、廉価には提供できない。また、発泡ポリエチレンのシートは大体が８〜１０ｍｍの肉厚があるため、嵩張り、保管・収納スペースを多く必要とする。また、強度的に弱く、棒状物への巻付き強度が弱いため、針金等を巻き付けてしっかりと固定しなければならず、取り付け、取り外し作業の手間が余分に必要となる。
【０００７】
また、特許文献１に提案された手段では、布テープを必要とし、またこの布テープを予めシートに装着する必要があり、コスト高になり、作製の手間も要する。
【０００８】
本考案は、上記従来技術の問題点を解決するために研究開発されたもので、本考案の目的は、廉価に提供でき、併せて取り付け、取り外し作業が簡便で、しかも巻付き強度も確保できる安全な棒状物標識バンドを提供することである。
【課題を解決するための手段】
【０００９】
上記の目的を達成するために本考案の請求項１に記載の棒状物標識バンドは、合成樹脂製で薄肉厚の筒状を呈し、周方向一箇所に軸方向全長にわたって背割れが備わっていると共に、筒状を保持する弾性復元性を備え、表面に標識が設けられ、前記背割れの相対峙する一対の縁辺が玉状断面からなる円弧面に形成されたものである。
【００１０】
本考案に係る棒状物標識バンドは、背割れに手を挿し込みこれを互いに引き離すようにして、背割れを広く開口し、その状態でこれを棒状物へ巻付ける。標識バンド自身は筒状を保持する弾性復元性によって、相対峙ずる一対の辺縁が接触するように元の円筒状に戻り、棒状物をカバーする。
【考案の効果】
【００１１】
上記のように構成された棒状物標識バンドは、合成樹脂製の薄肉厚で筒状を保持する弾性復元性を備えているために、従来の市販品などと違って、廉価に提供でき、併せて取り付け、取り外しの手間が簡単かつ単純で、巻付き強度も上手く確保できる。更に、表面に標識を備えているので、安全性の確保には何ら遜色がない。しかも、薄肉厚のために保管・収納を嵩低く少スペースで可能にするとともに、棒状体に取り付けたときの見栄えもすっきりとして現代的な印象を与え、作業現場の環境保全の一助ともなる。更に、背割れの相対峙する一対の縁辺が玉状断面からなる円弧面に形成されているために、鋭角なエッジが存在せず、作業中に手指などを痛めるおそれを上手く防止して、高い安全性が得られる。
【００１２】
以上の構成において、この考案では、請求項２に記載のように、標識は二色押し出し成形法で背割れの方向と平行に一体成型されるのが望ましい。
表面に標識を備えた標識バンドを一作業工程で成形でき、大変廉価に提供できるからである。
【００１３】
また、請求項３に記載のように、標識はトラマークにすることもできる。
ストライプ模様の他にトラマークをそろえることで、種々の現場に対応し易いからである。
【図面の簡単な説明】
【００１４】
【図１】本考案棒状物標識バンドを示す一部切欠き斜視図である。
【図２】使用状態を示す斜視図である。
【図３】従来品の市販品の斜視図である。
【考案を実施するための形態】
【００１５】
以下、本考案の実施例を説明する。
図１は本考案に係る棒状物標識バンドの斜視図で、この標識バンド１は、合成樹脂製、例えば厚さ０．８ｍｍの塩化ビニールを素材にして、断面円筒状を呈する。周方向の一箇所は、軸方向の全長にわたって背割れ２が設けられている。
【００１６】
この標識バンド１の表面には、周方向所定間隔で、軸方向、つまり背割れの方向に沿って二色のストライプ模様３が設けられている。ストライプに代えて、所謂黄色と黒の縞模様であるトラマークであっても良い。図中３ａは白色、３ｂはブルーである。
【００１７】
また、背割れ２の互いに相対峙する一対の辺縁４は断面形状が玉状で滑らかな円弧５に形成される。作業にあたって、この辺縁が鋭角であっては、作業者の手指を痛めるので、これを防止するための配慮である。
【００１８】
この標識バンド１はそれ自身、図１に示す所期の筒状を保つように、弾性復元性を備えるべく成形機で成形されている。このとき同時にストライプ模様、背割れ３、そして前記辺縁４の円弧５も一体成形される。
製造コストが安くなり、廉価に提供できるからである。
【００１９】
この標識バンド１を棒状物６（図例では単管足場）に装着するには、標識バンド１の前記背割れ２に指を差し入れ、辺縁４が互いに遠ざかるように拡開させる。この拡開部分から棒状物６に被せて順次巻付ける。標識バンド１自体は弾性復元性を備えているので、自ずと縮径して、図１、２に示す所期の筒状形状に復元し、棒状物６を被覆する。
【００２０】
従って、この標識バンド１は背割れ２、ストライプ模様３、円弧５が二色成形で一体成型されるために、大変廉価で提供できる。また、合成樹脂製の薄肉厚で、筒状を保持する弾性復元性を備えているために、従来の市販品などと違って、廉価に提供でき、併せて取り付け、取り外しの手間が簡単、かつ、単純で、巻付き強度も上手く確保できる。更に、表面にストライプ模様３の標識を備えているので、安全性の確保には何ら遜色がない。しかも、薄肉厚のために保管・収納を嵩低く少スペースで可能にするとともに、棒状体６に取り付けたときの見栄えもすっきりとして現代的な印象を与え、作業現場の環境保全の一助ともなる。
【００２１】
なお、前記標識バンド１のストライプ模様に代えて、所謂トラマークであっても良い。この場合は、二色成形で一体に模様付けは困難であるため、無模様のバンドをまず成形し、その後に、表面にトラマークを公知の手段で模様付けすることが出来る。
また、模様はストライプやトラマークの他にも他のパターンや文字、図形などであっても良い。
模様に多様性を持たせることで、種々の現場に対応しやすいからである。
【００２２】
棒状物６は、単管足場の他に、バックミラーの支柱、工場内の柱、更には単管を用いた簡易ガードレールや工事現場の結界用の単管などである。また、標識バンド１は塩化ビニールを用いたが、本考案の目的に沿うものであれば、いかなる素材でも良いことは言うまでもない。
【符号の説明】
【００２３】
１…標識バンド
２…背割れ
３…ストライプ模様
４…辺縁
５…円弧
６…棒状物
【先行技術文献】
【特許文献】
【００２４】
【特許文献１】実開平５−３４８３号公報
【図１】
0003186255.tif 000003
【図２】
0003186255.tif 000004
【図３】
0003186255.tif 000005